(57)【要約】【課題】手作業により行われていた、容器に培養土及び種苗を詰める作業を無くし容器の培養土による汚れを少なくすることができ、単位時間当たりの製造量を大幅に増大する。【解決手段】筒口１１と傾斜肩部１ａを有するホッパー１と、該筒口１１が挿入可能な筒状のホッパー支持具２の組合せからなり、該ホッパー支持具２は、該ホッパーの筒口が挿入されたとき、その下端部は基台上にそして上端部は上記ホッパー１の傾斜肩部にそれぞれ当接するようにした植物栽培セット製造装置を用意する。次いで該ホッパー支持具２の内部に、折返し覆い板１ａで上端開口部を開閉可能とした中箱３を設置する。次いで該中箱３の開口部に筒口１１を挿入又は接近してホッパー１の上部より種苗及び培養土を入れる。次いで筒口１１を後退し、ホッパー支持具を取外す。次いで該中箱の開口部を覆い板で閉鎖して植物栽培セットを得る。【選択図】図２
2008167676.tif 000002
【特許請求の範囲】
【請求項１】
筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口が挿入されたとき、その下端部は基台上にそして上端部は上記ホッパー１の傾斜肩部１ａにそれぞれ当接するようにした植物栽培セット製造装置。
【請求項２】
筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口１１が挿入されたとき、その下端部は基台上にそして上端部は上記ホッパー１の傾斜肩部１ａにそれぞれ当接するようにした植物栽培セット製造装置の該ホッパー支持具２の内部に、折返し覆い板３ａで上端開口部を開閉可能とした中箱３を設置し、該中箱３の開口部に筒口１１を挿入又は接近してホッパー１の上部より種苗５及び培養土４を入れ、次いでホッパー１を後退し、ホッパー支持具２を取外したのち、該中箱の開口部を覆い板３ａで閉鎖することを特徴とする植物栽培セットの製造法。
【請求項３】
筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口１１が挿入されたとき、その下端部は基台上にそして上端部は上記ホッパー１の傾斜肩部１ａにそれぞれ当接するようにした植物栽培セット製造装置の該ホッパー支持具２の内部に、折返し覆い板３ａで上端開口部を開閉可能とした中箱３を設置すると共に、前記ホッパーの筒口１１下端部に、フィルム状袋容器６を着脱可能に被せ、次いで該中箱３の開口部に筒口１１を挿入してホッパー１の上部より種苗５及び培養土４を入れ、次いでホッパー１を後退し、ホッパー支持具２を取外したのち、該フィルム状袋容器６の開口部を閉鎖し、該中箱の開口部を覆い板３ａで閉鎖することを特徴とする植物栽培セットの製造法。
【発明の詳細な説明】
【技術分野】
【０００１】
本発明は、植物の栽培可能な容器に植物の種子や球根、根などの栄養繁殖体（以下、種苗ということがある）と培養土とを充填した植物栽培セットを容易に得ることができる装置及びその装置を用いた植物栽培セットの製造法に関する。
【背景技術】
【０００２】
植物の栽培可能な容器に種苗と培養土とを充填した植物栽培セットは、容器を開口した後、水やりをするだけで、四季によらず直射日光の当らない室内でも栽培できることから需要が伸びている。
従来、このような植物栽培セットの製造法として、水漏れのない容器（鉢）に、ゼオライトと培養有機肥料を適宜の配合で調製した培養土を充填し、発芽し仮眠させた根や球根を該容器の培養土表面から１ｃｍ程度の深さに埋め、蓋をして密閉することにより得ることが知られている（特許文献１参照）。
【０００３】
【特許文献１】特開昭６１−２７４６２８号公報
【発明の開示】
【発明が解決しようとする課題】
【０００４】
従来の、植物栽培セットの製造法においては、容器に培養土を充填する工程、また種苗を該培養土に植え付ける工程が必要であり、しかもこれらの工程はすべて人手に頼らざるを得ず、機械的に容易に得ることができる植物栽培セットの製造装置の出現が望まれていた。
【課題を解決するための手段】
【０００５】
本発明は、種苗と培養土とを充填した植物栽培セットを容易に得ることができる方法及び装置を提供するものであって、すなわち、本発明は、筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口が挿入されたとき、その下端部は基台上にそして上端部は上記ホッパー１の傾斜肩部１ａにそれぞれ当接するようにした植物栽培セット製造装置である。
また本発明は、筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口が挿入されたとき、その下端部は基台上にそして上端部は上記ホッパー１の傾斜肩部１ａにそれぞれ当接するようにした植物栽培セット製造装置の該ホッパー支持具２の内部に、折返し覆い板３ａで上端開口部を開閉可能とした中箱３を設置し、該中箱３の開口部に筒口１１を挿入又は接近してホッパー１の上部より種苗５及び培養土４を入れ、次いでホッパー１を後退し、ホッパー支持具２を取外したのち、該中箱の開口部を覆い板３ａで閉鎖することを特徴とする植物栽培セットの製造法である。
また本発明は筒口１１と該筒口上端周縁から上部に向かって次第に外側に拡大する傾斜肩部１ａを有するホッパー１と、該筒口１１が挿入可能な筒状のホッパー支持具２の組合せからなり、該ホッパー支持具２は、該ホッパーの筒口が挿入されたとき、その下端部は基台上にそして上端部は上記ホッパー１の傾斜肩部１ａにそれぞれ当接するようにした植物栽培セット製造装置の該ホッパー支持具２の内部に、折返し覆い板３ａで上端開口部を開閉可能とした中箱３を設置すると共に、前記ホッパーの筒口１１下端部に、フィルム状袋容器６を着脱可能に被せ、次いで該中箱３の開口部に筒口１１を挿入してホッパー１の上部より種苗５及び培養土４を入れ、次いでホッパー１を後退し、ホッパー支持具２を取外したのち、該フィルム状袋容器６の開口部を閉鎖し、該中箱の開口部を覆い板３ａで閉鎖することを特徴とする植物栽培セットの製造法である。
【発明の効果】
【０００６】
本発明は、植物栽培セットの製造工程において、従来、手作業により行われていた、容器に培養土及び種苗を詰める作業を無くし、容器の培養土による汚れを少なくすることができ、植物栽培セットを単位時間当たり、数量多く製造することができる。
【発明を実施するための最良の形態】
【０００７】
以下添付した図面に従い本発明の植物栽培セットの製造装置を具体的に説明する。
【０００８】
図１は、ホッパー１とホッパー支持具２の組合せからなる植物栽培セットの製造装置の概略説明図である。図２は本発明の植物栽培セットの製造法を示す概略説明図である。図３は、本発明の植物栽培セットの別の製造法を示す概略説明図である。
【０００９】
図１は、ホッパー１とホッパー支持具２の組合せからなる植物栽培セットの製造装置の概略説明図で、筒口１１と該筒口上端周縁から上部に向かって次第に外側に拡大する傾斜肩部１ａを有するホッパー１と、該筒口１１が挿入可能な筒状のホッパー支持具２の組合せからなっている。
一方、ホッパー支持具２は、図２（ｂ）に示す如く、該ホッパーの筒口１１が挿入されたとき、その下端部は基台上（図面簡略のため図示せず）にそして上端部は上記ホッパー１の傾斜肩部１ａにそれぞれ当接するようになっている。
【００１０】
図２は、本発明の植物栽培セットの製造法を示す概略説明図で、該ホッパー支持具２の内部に、折返し覆い板３ａで上端開口部を開閉可能とした中箱３を設置し、該中箱３の開口部に筒口１１を挿入又は接近してホッパー１の上部より種苗及び培養土を入れ、次いでホッパー１を後退し、ホッパー支持具２を取外したのち、該中箱３の開口部を覆い板３ａで閉鎖することにより植物栽培セットを製造する。
【００１１】
すなわち、図２において（ａ）は植物栽培セット製造装置の該ホッパー支持具２の内部に、折返し覆い板３ａで上端開口部を開閉可能とした中箱３を設置した状態を示す。（ｂ）は該中箱３の開口部に筒口１１を挿入した状態を示す。（ｃ）は、ホッパー１の上部より種苗５及び培養土４を入れる直前の状態を示す。（ｄ）は、中箱３に種苗５及び培養土４を入れた状態を示す。（ｅ）は、ホッパー１を後退した状態を示し、中箱３に種苗５と培養土４が充填されて状態を示し、（ｆ）はホッパー支持具２を取外し、折返し覆い板３ａを閉める直前の状態を示す。そして（ｇ）は該中箱の開口部を覆い板３ａで閉鎖した状態を示す。
【００１２】
図１において、筒口１１の形状（本実施例では断面が正方形の筒体）は、後述する中箱３の開口部の形状に対応した形状とすることが好ましく、断面が円形、四角形（例えば正方形）などが挙げられる。こうすることにより、中箱３の開口部に筒口１１を挿入したとき、中箱の内周壁と筒口の外周壁との隙間を限りなく少なくすることが可能となり、ホッパー１から培養土４を充填したときに、中箱３の外へ培養土４が漏れることを防止することが可能となる。
ホッパー１の上端開口部は、培養土の受入れに十分な大きさとすることが好ましく、また種苗５を植え付けるのにも充分な大きさのものが好ましい。
【００１３】
図１において、ホッパー支持具２は、ホッパー１を安定的に支持するものであれば、任意のものが採用可能で、例えば断面が円形、四角形（本実施例では正方形を採用）の筒状体が挙げられる。
図２（ｂ）に示すように、ホッパー支持具２は、該ホッパー１の筒口１１が支持具２内に挿入されたとき、支持具２の下端部は基台（図面簡略のため図示せず）上にそして上端部は上記ホッパー１の傾斜肩部１ａにそれぞれ当接できるものが好ましい。当接することにより、ホッパーを安定的に支持できる利点を有する。
【００１４】
図２において、中箱３は、如何なる形状のものでもよく、例えば立方体、直方体、三角柱、四角柱、五角柱、六角柱などの多角柱型や円柱、植木鉢のような円錐台型が挙げられる。また本発明の中箱３は、中箱内に植物の種子や球根、根株と培養土を収納した状態で流通するため、開口部を閉鎖するための折返し覆い板３ａを具備するものが好ましい。また中箱３は、水やりなどの栽培管理が必要なため、その材質は耐水性であることが好ましいが、該中箱の内部にビニール袋などの耐水性を有するフィルム状袋容器６を収納したものであれば、その材質は、耐水性を有しないものであってもよい。
【００１５】
図２（ｃ）はホッパー１の上から種苗５を入れ、次いで培養土４を充填する状態（あるいは培養土４を充填し、次いで種苗４を入れる状態）を示しているが、ここに用いる培養土は、充填後に植え付ける野菜や花卉の種子や球根、根株などのこれら栄養繁殖体の育成に適したものならば、如何なる組成のものでも良く、その制限はない。例えば、ポットミックス（肥料や各種培養土を混合した培養土）、ココユーキ（ヤシの実の殻から繊維を取り戻す際に出る粉末を原料とする有機資材）、ココピート（ヤシの実の外殻を粉砕して作られたもの）及びピートモス（湿地地帯のコケ類が長年堆積して半ば腐植したものを乾燥させて砕いたもの）などを単独で、又はそれらを組合せて用いることができる。
【００１６】
本発明で用いる種苗は、水やりによって生育する野菜や花卉等の植物の種子や球根、根株ならば、如何なる種類のものでも良く、植え付ける個数、又はその組合せにも制限はない。
【００１７】
上記培養土に配合する肥料は、栽培セットに充填する植物の栄養繁殖体の生育を促すものであるならば特に制限はないが、追肥等の手間を省くため、速効性肥料より、緩効性肥料であることが好ましい。
【００１８】
図３に示すように、ホッパー１の該筒口１１を、開口部を有するフィルム状袋容器６の該開口部に挿入して、該フィルム状袋容器６を該筒口１１に、図示のように着脱可能に被せるときは、中箱３の底面および該底面から立上がる内周側壁にフィルム状袋容器６の周壁ができるため、培養土４及び種苗５が直接中箱３に接触することが防止でき、中箱３を耐水性の材質で構成する必要性がなくなる特徴を有する。
【実施例１】
【００１９】
（アスパラガスの栽培セットの製造装置）
図１及び図２（ｂ）において、筒口１１を縦１２ｃｍ、横１２ｃｍ、高さ３５ｃｍの筒体とし、また該筒口上端周縁から上部に向かって次第に外側に拡大する傾斜肩部１ａを、下辺１２ｃｍ、上辺２５ｃｍ、斜辺１０ｃｍの台形片が４つ連結したホッパー１とし、ホッパー支持具２を、縦２０ｃｍ、横２０ｃｍ、高さ４５ｃｍの正方形筒体とし、図２（ｂ）において、折返し覆い板３ａを縦１５ｃｍ、横１５ｃｍの挿し込み式の蓋とし、中箱３を縦１５ｃｍ×横１５ｃｍ×高さ１５ｃｍのダンボール箱として、図２（ｂ）の如き本発明の植物栽培セットの製造装置をセットした。
【実施例２】
【００２０】
（植物栽培セットの製造法）
２００５年１２月２６日、図２（ｂ）の状態において、筒口１１の下側部をフィルム状袋容器６（縦５５ｃｍ、横３７ｃｍの透明なビニール袋で上端部は開口している）で深く被せた（図３はそのときの状態を示す）。
（ａ）折返し覆い板３ａ（挿し込み式の蓋）を有するダンボール箱にホッパー支持具２を被せ、（ｂ）透明色のビニール袋を深く被せた該筒口１１を該ダンボール箱の開口部に挿し入れて、（ｃ）該ホッパー１の上部から、畑より掘り出したアスパラガスの根株１株、約６００ｇを発芽方向を上にして入れ、次いでココユーキ（横浜グリーン社製）約２．５Ｌを入れて、ダンボール箱中の透明ビニール袋に、アスパラの根かぶととココユーキを充填した。そして（ｄ）ダンボール箱から筒口１１を引き抜き、ホッパー支持具２を取り外して、当該透明色ビニール袋内の空気を抜きながら該透明色ビニール袋の開口部をヒートシールして密封し、ダンボール箱の蓋３ａを閉じて、アスパラガスの栽培セット（箱型ポット菜園）を作成した。その結果、このような本発明の栽培セットの製造方法によって、作業者３名で１時間に、上記のアスパラガスの栽培セットを５５ケース製造した。
（比較例１）
【００２１】
２００５年１２月２４日、透明色のビニール袋（３７ｃｍ×５５ｃｍ）を、ダンボール箱（１５ｃｍ×１５ｃｍ×１５ｃｍ）に収納し、該透明色ビニール袋の形状を該ダンボール箱の形状に一致させた後、畑から掘り出したアスパラガスの根株１株約６００ｇを発芽方向を上にして入れ、次いでココユーキ約２．５Ｌを入れて、次いで透明色ビニール袋内の空気を抜きながら、該袋をヒートシールして密封し、ダンボール箱の蓋を閉じて、アスパラガスの栽培セット（箱型ポット菜園）を得た。その結果、このような従来の栽培セットの製造方法によって、作業者３名で１時間にアスパラガスの栽培セットを２４ケース製造した。
【００２２】
以上の結果から、本発明の植物栽培セットの製造法は、従来のそれに比べ、時間当たり製造数量が２倍以上に向上することが判る。
【図面の簡単な説明】
【００２３】
【図１】ホッパー１とホッパー支持具２の組合せからなる植物栽培セットの製造装置の概略説明図。
【図２】本発明の植物栽培セットの製造法を示す概略説明図。
【図３】本発明の植物栽培セットの別の製造法を示す概略説明図。
【符号の説明】
【００２４】
１：ホッパー
１ａ：傾斜肩部
２：ホッパー支持具
３：中箱
３ａ：覆い板
４：培養土
５：種苗
６：フィルム状袋容器
１１：筒口
【図１】
2008167676.tif 000003
【図２】
2008167676.tif 000004
【図３】
2008167676.tif 000005